(57)【要約】      （修正有）【課題】省エネモードから復帰する待ち時間を短縮しつつ、省エネを図る。【解決手段】情報処理装置と操作部と実行部とを備えた情報処理システムであって、ユーザ認証情報を記憶するユーザ認証管理ＤＢと、ユーザ識別情報を第１の無線通信によって取得する第１の識別情報取得部と、ユーザ認証情報に第１の識別情報取得部によって取得されたユーザ識別情報が含まれるか否かを判断する第１の認証処理部と、電源制御部とを有する。操作部は、ユーザ識別情報を第２の無線通信によって取得する第２の識別情報取得部と、ユーザを認証する情報に第２の識別情報取得部によって取得されたユーザ識別情報が含まれるか否かを判断する第２の認証処理部とを有する。電源制御部は、第１の認証処理部によってユーザ識別情報が含まれると判断された場合に、第２の認証処理部を起動し、第２の認証処理部によってユーザ識別情報が含まれると判断された場合に、実行部を起動する。【選択図】図４
2016225824.tif 000002
【特許請求の範囲】
【請求項１】
情報処理装置と、該情報処理装置に対する操作を受け付ける操作部と、ユーザの指示した処理を実行する実行部とを備えた情報処理システムであって、
前記情報処理装置は、
前記情報処理システムの使用を許可するユーザを認証する情報を記憶するデータベースと、
ユーザを識別する情報を第１の無線通信によって取得する第１の識別情報取得部と、
前記第１の識別情報取得部によって取得されたユーザを識別する情報が前記データベースに含まれる場合にユーザの認証が成功したと判断する第１の認証処理部と、
電源制御部と
を有し、
前記操作部は、
ユーザを識別する情報を第２の無線通信によって取得する第２の識別情報取得部と、
前記第２の識別情報取得部によって取得されたユーザを識別する情報が前記データベースに含まれる場合にユーザの認証が成功したと判断する第２の認証処理部と
を有し、
前記電源制御部は、
前記第１の認証処理部によってユーザの認証が成功したと判断された場合に、少なくとも前記第２の識別情報取得部、および前記第２の認証処理部を起動し、
前記第２の認証処理部によってユーザの認証が成功したと判断された場合に、前記実行部を起動する、情報処理システム。
【請求項２】
前記第１の認証処理部は、ユーザの認証が成功したと判断した場合に前記第１の識別情報取得部によって取得されたユーザを識別する情報を前記第２の認証処理部に通知し、
前記第２の認証処理部は、前記第２の識別情報取得部によって取得されたユーザを識別する情報が、前記第１の認証処理部によって通知されたユーザを識別する情報と一致する場合に、ユーザの認証が成功したと判断する、請求項１に記載の情報処理システム。
【請求項３】
前記電源制御部は、前記第２の識別情報取得部、および前記第２の認証処理部の起動を開始してから所定の時間以内に前記第２の認証処理部によってユーザの認証が成功したと判断された場合に、前記実行部を起動させる、請求項１または２に記載の情報処理システム。
【請求項４】
前記第２の無線通信の通信が可能な距離は、前記第１の無線通信の通信が可能な距離よりも短い、請求項１ないし３のうちいずれか１項に記載の情報処理システム。
【請求項５】
前記第１の識別情報取得部は、ＲＦタグに記録されたユーザを識別する情報を取得する、請求項１ないし４のうちいずれか１項に記載の情報処理システム。
【請求項６】
前記第２の識別情報取得部は、ＩＣチップに記録されたユーザを識別する情報を取得する、請求項１ないし５のうちいずれか１項に記載の情報処理システム。
【請求項７】
情報処理部と、該情報処理部に対する操作を受け付ける操作部と、ユーザの指示した処理を実行する実行部とを備えた情報処理装置であって、
前記情報処理部は、
前記情報処理装置の使用を許可するユーザを認証する情報を記憶するデータベースと、
ユーザを識別する情報を第１の無線通信によって取得する第１の識別情報取得部と、
前記第１の識別情報取得部によって取得されたユーザを識別する情報が前記データベースに含まれる場合にユーザの認証が成功したと判断する第１の認証処理部と、
電源制御部と
を有し、
前記操作部は、
ユーザを識別する情報を第２の無線通信によって取得する第２の識別情報取得部と、
前記第２の識別情報取得部によって取得された前記ユーザを識別する情報が前記データベースに含まれる場合にユーザの認証が成功したと判断する第２の認証処理部と
を有し、
前記電源制御部は、
前記第１の認証処理部によってユーザの認証が成功したと判断された場合に、少なくとも前記第２の識別情報取得部、および前記第２の認証処理部を起動し、
前記第２の認証処理部によってユーザの認証が成功したと判断された場合に、前記実行部を起動する、情報処理装置。
【請求項８】
情報処理装置と、該情報処理装置に対する操作を受け付ける操作部と、ユーザの指示した処理を実行する実行部とを備えた情報処理システムによって実行される情報処理方法であって、
前記情報処理装置が、
ユーザを識別する情報を第１の無線通信によって取得する第１の識別情報取得ステップと、
前記第１の識別情報取得ステップによって取得されたユーザを識別する情報が前記情報処理システムの使用を許可するユーザを認証する情報を記憶するデータベースに含まれる場合にユーザの認証が成功したと判断する第１の認証処理ステップと、
電源制御ステップと
を有し、
前記操作部が、
ユーザを識別する情報を第２の無線通信によって取得する第２の識別情報取得ステップと、
前記第２の識別情報取得ステップによって取得されたユーザを識別する情報が前記データベースに含まれる場合にユーザの認証が成功したと判断する第２の認証処理ステップと
を有し、
前記第１の認証処理ステップによってユーザの認証が成功したと判断された場合に、前記第２の識別情報取得ステップ、および前記第２の認証処理ステップが実行され、
前記電源制御ステップでは、前記第２の認証処理ステップによってユーザの認証が成功したと判断された場合に、前記実行部を起動する、情報処理方法。
【発明の詳細な説明】
【技術分野】
【０００１】
本発明は、情報処理システムに関する。
【背景技術】
【０００２】
画像形成装置は、省エネモードから復帰する際に電源の供給を遮断した該画像形成装置を構成するデバイスの立ち上げを行うため、待ち時間が生じる。
【０００３】
画像形成装置の省エネモードから復帰する動作に関して、省エネモード中に接近するユーザが登録されている場合に省エネモードから復帰することによって、不要な復帰を防止する技術が知られている（例えば、特許文献１参照）。
【発明の概要】
【発明が解決しようとする課題】
【０００４】
従来の画像形成装置は、省エネモード中に検知したユーザがその画像形成装置を利用する可能性が高い場合に省エネモードから復帰する処理を予め開始し、省エネモードから通常モードに復帰する待ち時間を短縮している。このため、画像形成装置は、ユーザがその画像形成装置を利用する可能性が高いと判断した場合には、実際にはそのユーザが画像形成装置を使用しない場合にも省エネモードから通常モードに復帰する。
【０００５】
ここまで画像形成装置の場合について述べてきたが、画像形成装置に限らず、本体となる画像処理装置などの情報処理装置と、操作部となる情報処理装置とが存在する場合には、同様の問題がある。
【０００６】
そこで、本発明は、省エネモードを有する情報処理システムにおいて、省エネモードから復帰する待ち時間を短縮しつつ、省エネを図ることを目的とする。
【課題を解決するための手段】
【０００７】
開示の一実施の形態の情報処理システムは、
情報処理装置と、該情報処理装置に対する操作を受け付ける操作部と、ユーザの指示した処理を実行する実行部とを備えた情報処理システムであって、
前記情報処理装置は、
前記情報処理システムの使用を許可するユーザを認証する情報を記憶するデータベースと、
ユーザを識別する情報を第１の無線通信によって取得する第１の識別情報取得部と、
前記第１の識別情報取得部によって取得されたユーザを識別する情報が前記データベースに含まれる場合にユーザの認証が成功したと判断する第１の認証処理部と、
電源制御部と
を有し、
前記操作部は、
ユーザを識別する情報を第２の無線通信によって取得する第２の識別情報取得部と、
前記第２の識別情報取得部によって取得されたユーザを識別する情報が前記データベースに含まれる場合にユーザの認証が成功したと判断する第２の認証処理部と
を有し、
前記電源制御部は、
前記第１の認証処理部によってユーザの認証が成功したと判断された場合に、少なくとも前記第２の識別情報取得部、および前記第２の認証処理部を起動し、
前記第２の認証処理部によってユーザの認証が成功したと判断された場合に、前記実行部を起動する。
【発明の効果】
【０００８】
開示の実施の形態によれば、省エネモードを有する情報処理システムにおいて、省エネモードから復帰する待ち時間を短縮しつつ、省エネを図ることができる。
【図面の簡単な説明】
【０００９】
【図１】一実施の形態に係る画像処理装置システムを示す図である。
【図２】一実施の形態に係る画像処理装置のハードウェア構成例（その１）を示す図である。
【図３】一実施の形態に係る画像処理装置のハードウェア構成例（その２）を示す図である。
【図４】一実施の形態に係る画像処理装置の機能ブロック図である。
【図５】一実施の形態に係る画像処理装置の省エネモードの一例を示す図である。
【図６】各省エネモード、および通常モードにおける電力制御を示す図である。
【図７】一実施の形態に係る画像処理装置の動作（その１）を示すシーケンスチャートである。
【図８】一実施の形態に係る画像処理装置の動作（その２）を示すシーケンスチャートである。
【図９】一実施の形態に係る画像処理装置の動作（その３）を示すシーケンスチャートである。
【図１０】一実施の形態に係る画像処理装置の動作（その４）を示すシーケンスチャートである。
【発明を実施するための形態】
【００１０】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１１】
＜画像処理システム＞
図１は、本実施の形態の画像処理システムを示す。
【００１２】
画像処理システムは、画像処理装置１００、およびＩＣカード５００を有する。画像処理装置１００の一例は、プリンタ、スキャナ、コピー機、ファクシミリ、およびこれらの機能を備えるＭＦＰ(Multi Function Peripheral)である。また、画像処理装置１００は、印刷のほか、投影や表示などの画像を形成する機能を有しているプロジェクタや電子黒板装置などの装置にも適用できる。
【００１３】
画像処理装置１００は、通信ネットワーク５０を介してサーバ６００と相互に接続される。通信ネットワーク５０は、特に限定されるものではないが、イーサネット（登録商標）やＴＣＰ／ＩＰ（Transmission Control Protocol / Internet Protocol）などのトランザクションプロトコルによるＬＡＮ（Local Area Network）、ＶＰＮ（Virtual Private Network）や専用線を使用して接続されるＷＡＮ（Wide Area Network）などによって構成することができる。
【００１４】
ＩＣカード５００は、ＲＦタグ、およびＩＣチップを内蔵し、該ＲＦタグ、および該ＩＣチップに情報が記録される。ＩＣカード５００のＲＦタグ、およびＩＣチップに記録される情報の一例は該ＩＣカード５００を携帯するユーザを識別する情報（以下、「識別情報」という）である。
【００１５】
画像処理装置１００は、ＩＣカード５００との間で近距離無線通信を行うことによって、該ＩＣカード５００のＲＦタグに記憶されるユーザの識別情報を受信する。画像処理装置１００は、該画像処理装置１００の使用を許可するユーザの識別情報を記憶する。そして、画像処理装置１００は、プログラムを実行することによって、ＩＣカード５００から受信したデータを処理する。具体的には、省エネモードの画像処理装置１００の近傍を、ＩＣカード５００を携帯したユーザが通過することによって、画像処理装置１００はＩＣカード５００のＲＦタグに記録されたユーザの識別情報を受信する。ここで、省エネモードとは、画像処理装置１００を構成する要素の一部の動作を制限することで消費電力を抑える動作を行っている状態をいう。これに対して、画像処理装置１００を構成する要素の全てが動作している状態を通常モードという。画像処理装置１００はＩＣカード５００のＲＦタグに記録されたユーザの識別情報を受信すると、該画像処理装置１００を構成する複数のデバイスのうちＩＣカード５００を携帯したユーザが登録したユーザであるか否かを判断する処理を実行する一部のデバイスを起動させることによって省エネモードから通常モードに復帰させる処理を開始する。
【００１６】
該一部のデバイスが通常モードに復帰すると、画像処理装置１００は、受信したユーザの識別情報が登録されているか否かを判断することによって、ＩＣカード５００を携帯するユーザが画像処理装置１００の使用を許可されているか否かを判断する。画像処理装置１００は、受信したユーザの識別情報が登録されている場合にユーザの認証が成功したと判断し、ＩＣカード５００を携帯するユーザが画像処理装置１００の使用を許可されていると判断する。該画像処理装置１００を構成する複数のデバイスのうちＩＣカード５００を携帯したユーザが画像処理装置１００を使用するか否かを判断する処理を実行する一部のデバイスを起動させることによって省エネモードから通常モードに復帰させる処理を開始する。さらに、画像処理装置１００は、ＩＣカード５００を携帯するユーザが画像処理装置１００の使用を許可されていると判断した場合に、該ユーザの識別情報と一致する識別情報をキャッシュする。
【００１７】
さらに、画像処理装置１００にＩＣカード５００をかざすことによって、画像処理装置１００はＩＣカード５００のＩＣチップに記憶されたユーザの識別情報を読み取ることができる。該一部のデバイスが通常モードに復帰すると、画像処理装置１００は、該ユーザの識別情報に基づいて、ＩＣカード５００を携帯するユーザが実際に画像処理装置１００を使用するか否かを判断する。画像処理装置１００は、キャッシュした識別情報とＩＣカード５００のＩＣチップから読み取ったユーザの識別情報が一致する場合に、ユーザの認証が成功したと判断し、ＩＣカード５００を携帯するユーザが実際に画像処理装置１００を使用すると判断する。画像処理装置１００は、ＩＣカード５００を携帯するユーザが実際に画像処理装置１００を使用すると判断した場合にはプリンタ、スキャナ、コピー機、およびファクシミリのいずれかの機能を起動させることによって省エネモードから復帰させる処理を開始する。プリンタ、スキャナ、コピー機、およびファクシミリは、ユーザの指示した処理を実行する。
【００１８】
＜画像処理装置１００のハードウェア構成＞
図２は、本実施の形態に係る画像処理装置１００のハードウェア構成例を示す図である。
【００１９】
画像処理装置１００は、主制御部として機器の状態の管理やジョブの制御を行うコントローラ２００と、プリンター、ＦＡＸ装置、スキャナ装置、およびコピー機などの機能を実行するエンジン３００と、コントローラ２００から独立したＣＰＵや記憶領域を有し、画面表示などの制御を行ってユーザインタフェースを提供する操作部４００とを備えている。コントローラ２００は、ケーブル５１０などの有線のインタフェースにより操作部４００と接続されている。
【００２０】
本実施の形態に係る画像処理装置１００では、機能の独立性を保つために、コントローラ２００側のＯＳ(Operating System)のソフトウエアと操作部４００側のＯＳのソフトウェアが互いに異なる。つまり、コントローラ２００と操作部４００は、別々のオペレーティングシステムで互いに独立して動作する。例えば、コントローラ２００側のＯＳのソフトウェアとしてＬｉｎｕｘ（登録商標）を用い、操作部４００側のＯＳのソフトウェアとしてＡｎｄｒｏｉｄ（登録商標）を用いることができる。コントローラ２００と操作部４００との間は、ＵＳＢ（Universal Serial Bus）接続によって通信することができる。
【００２１】
本実施の形態の画像処理装置１００は、コントローラ２００と操作部４００が別々のオペレーティングシステムで動作するため、コントローラ２００と操作部４００との間の通信は、共通の装置内のプロセス間通信ではなく、異なる装置間の通信として行われる。操作部４００が受け付けた情報（ユーザからの指示内容）をコントローラ２００へ伝達する動作（コマンド通信）や、コントローラ２００が操作部４００へイベントを通知する動作などがこれに該当する。操作部４００がコントローラ２００へコマンド通信を行うことにより、コントローラ２００の機能を使用することができる。また、コントローラ２００から操作部４００に通知する情報の内容には、コントローラ２００における動作の実行状況、コントローラ２００で設定された内容などが挙げられる。
【００２２】
コントローラ２００は、ＣＰＵ２０２、プログラムＲＯＭ（Read Only Memory）２０４、ネットワークＩ／Ｆ（Interface）２０６、ＨＤＤ(Hard disk drive）２０８、ＲＡＭ（Random Access Memory）２１０、不揮発性メモリ２１２、操作部Ｉ／Ｆ２１４、エンジンＩ／Ｆ２１６、タグリーダ２１８などの複数のデバイスを備えている。
【００２３】
ＣＰＵ２０２は、コントローラ２００における電源の管理およびジョブの制御などの主たる動作を行う。プログラムＲＯＭ２０４は、コントローラ２００の動作に関連するコントローラ用プログラムを格納する。ネットワークＩ／Ｆ２０６は、外部の通信ネットワーク５０との間で通信を行う。ＨＤＤ２０８は、後述するユーザ認証管理ＤＢなどのユーザを認証する際に使用する情報を格納する。ＲＡＭ２１０は、プログラムを実行する領域であり、印刷する画像イメージの展開などに使用される。不揮発性メモリ２１２は、蓄積文書データの保存や画像イメージの展開に必要なデータの保存に使用される。操作部Ｉ／Ｆ２１４は、操作部４００との間で通信を行う。エンジンＩ／Ｆ２１６は、エンジン３００との間で通信を行う。タグリーダ２１８は、ＩＣカード５００のＲＦタグからＩＣカード５００を携帯するユーザの識別情報を読み取る。
【００２４】
操作部４００は、ＣＰＵ４０２、プログラムＲＯＭ４０４、コントローラＩ／Ｆ４１４、ＲＡＭ４１０、不揮発性メモリ４１２、表示部４１６、カードリーダ４１８などの複数のデバイスを備える。
【００２５】
ＣＰＵ４０２は、操作部４００における操作に関する処理などの主たる制御を行う。プログラムＲＯＭ４０４は、操作部４００の動作に関連する操作部用プログラムが格納される。コントローラＩ／Ｆ４１４は、コントローラ２００との間で通信を行う。ＲＡＭ４１０は、プログラムを実行する領域として使用される。不揮発性メモリ４１２は、コントローラ２００が起動する際に使用する各種設定値の初期値や設定が可能な項目を保存する。表示部４１６は、液晶パネルのような表示装置とタッチパッドのような位置を入力する装置を組み合わせた電子部品によって構成され、ユーザに対して画面を表示するとともに、画面上の表示が押されることなどによって行われる操作を受け付ける。カードリーダ４１８は、ＩＣカード５００のＩＣチップからＩＣカード５００を携帯するユーザの識別情報を読み取る。
【００２６】
図３は画像処理装置１００の他のハードウェア構成例を示す図である。図２に示した画像処理装置１００では、操作部４００はコントローラ２００と有線接続され、コントローラ２００と、エンジン３００と、操作部４００が画像処理装置１００として一体化したものであった。図３の例では、コントローラ２００の操作部Ｉ／Ｆ２１４と操作部４００のコントローラＩ／Ｆ４１４とが無線接続される。つまり、コントローラ２００とエンジン３００を含む画像処理装置本体１０１と操作部４００とが別体として構成されている。
【００２７】
操作部４００と、画像処理装置本体１０１との間を無線接続することにより、操作部４００は場所にとらわれずに利用可能となる。操作部４００は直接にユーザからの起動の要求を受け、画像処理装置本体１０１のコントローラ２００と独立して動作する。操作部４００の画面制御とコントローラ２００との接続処理は非同期に並列処理されるため、コントローラ２００の状態に影響されることなく画面の操作が可能となる。
【００２８】
なお、操作部４００は、例えば、スマートフォンやタブレット型端末などの情報処理端末として構成することもでき、単独で完結した情報処理を実行可能である。つまり、操作部４００は、画像処理装置１００の専用の操作部として設置されていた操作パネルの代わりに、コントローラ２００に接続される。操作部４００とコントローラ２００とは、それぞれ一台の装置として把握することもできる。この場合、画像処理装置１００は、操作部４００が搭載される機器の一例に過ぎず、操作部４００は、画像処理装置１００に限らず、プログラムを実行するコンピュータや情報処理装置と呼ばれる装置に搭載可能である。例えば、プロジェクタ、テレビ会議システム、または、デジタルカメラなどの機器が、画像処理装置１００の代わりに用いることもできる。
【００２９】
＜実施の形態の機能構成＞
本実施の形態の機能構成について説明する。図４は、本実施の形態の画像処理装置１００を構成するコントローラ２００、および操作部４００の機能ブロック図である。図４では、図２に示す画像処理装置１００のように、コントローラ２００、および操作部４００が、ＵＳＢ通信によってデータ通信することができるように接続されている。図３に示す画像処理装置１００のように、コントローラ２００、および操作部４００が、無線接続することができる場合にも適用できる。
【００３０】
＜コントローラ２００の機能構成＞
コントローラ２００は、送受信部２５２、第１のユーザ識別情報取得部２５４、第１の認証処理部２５６、電源制御部２５８、通信制御部２６６、および記憶・読出処理部２６０を有している。これら各部は、図２に示されている各構成要素のいずれかが、プログラムＲＯＭ２０４に記憶されているコントローラ用プログラムにしたがったＣＰＵ２０２からの命令によって動作することで実現される機能または手段である。また、コントローラ２００は、図２に示されているＨＤＤ２０８によって構築される記憶部２６２を有している。
【００３１】
（ユーザ認証管理テーブル）
記憶部２６２には、表１に示されているようなユーザ認証管理テーブルによって構成されているユーザ認証管理ＤＢ２６４が構築されている。
【００３２】
【表１】
2016225824.tif 000003
このユーザ認証管理テーブルでは、画像処理装置１００によって使用が許可されるユーザによって携帯される全てのＩＣカード５００のＲＦタグ、およびＩＣチップに記録される各ユーザＩＤなどの識別情報が管理される。例えば、表１に示されているユーザ認証管理テーブルにおいて、あるユーザのユーザＩＤは「０１ａａ」であることが示されている。
【００３３】
＜コントローラ２００の各機能部＞
コントローラ２００の各部を詳細に説明する。
【００３４】
コントローラ２００の送受信部２５２は、図２に示されている操作部Ｉ／Ｆ２１４によって実現され、ＵＳＢ通信によって操作部４００と各種データ（情報）の送受信を行う。
【００３５】
コントローラ２００の第１のユーザ識別情報取得部２５４は、図２に示されているタグリーダ２１８、ＣＰＵ２０２からの命令、プログラムＲＯＭ２０４に記憶されているコントローラ用プログラムによって実現され、ＩＣカード５００のＲＦタグからユーザの識別情報を近距離無線通信によって読み取り、第１の認証処理部２５６に入力する。
【００３６】
コントローラ２００の第１の認証処理部２５６は、図２に示されているＣＰＵ２０２からの命令、プログラムＲＯＭ２０４に記憶されているコントローラ用プログラムによって実現される。第１の認証処理部２５６は、第１のユーザ識別情報取得部２５４によって入力されたユーザの識別情報が記憶部２６２に格納されたユーザ認証管理テーブルのユーザＩＤ（識別情報）に含まれるか否かを判断することによって、画像処理装置１００に接近しているユーザが登録されていることを判断する。ユーザ認証管理テーブルのユーザＩＤ（識別情報）に含まれることによってユーザの認証が成功したと判断する。画像処理装置１００に接近しているユーザが登録されていると判断した場合、第１の認証処理部２５６は、ユーザの識別情報を操作部４００の第２の認証処理部４５６に通知する。
【００３７】
コントローラ２００の電源制御部２５８は、図２に示されているＣＰＵ２０２からの命令、プログラムＲＯＭ２０４に記憶されているコントローラ用プログラムによって実現される。電源制御部２５８は、図２に示されている画像処理装置１００を構成する各要素（デバイス）の各々における電力制御を行う。その結果、複数の省エネモードのいずれかに画像処理装置１００が移行する。
【００３８】
図５は、画像処理装置１００の省エネモードの一例を示す。本実施の形態に係る画像処理装置１００は、通常モードに対して、第１の省エネモード−第４の省エネモードの４種類の省エネモードを有する。第１の省エネモードから第４の省エネモードとなるにしたがって消費電力は高くなる。省エネモードの数は、４種類に限らず、５種類以上としてもよい。図６は、各省エネモード、および通常モードにおける図２に示されている画像処理装置１００の複数のデバイスの各々における電力制御の詳細を示す。
【００３９】
第１の省エネモードは、画像処理装置１００を構成する要素のほとんどへの電源の供給がオフで起動していない状態であり、消費電力が最も低い状態である。ただし、第１の省エネモードでは、タグリーダ２１８への電源の供給がオンで起動している。第２の省エネモードは、第１の省エネモードにおいて、タグリーダ２１８によってユーザの識別情報が読み取られた場合に移行し、ＨＤＤ２０８への電源の供給がオンにされることによって起動される。第３の省エネモードは、第２の省エネモードにおいて、タグリーダ２１８によって読み取られたユーザの識別情報が登録されたものであると判断された場合に移行し、操作部４００のＣＰＵ４０２、およびカードリーダ４１８への電源の供給がオンにされることによって起動される。第４の省エネモードは、第３の省エネモードにおいて、カードリーダ４１８によって読み取られたユーザの識別情報に基づいて、ＩＣカード５００を携帯したユーザが画像処理装置１００を使用すると判断した場合に移行し、エンジン３００への電源の供給がオンにされることによって起動される。通常モードは、第４の省エネモードにおいて、表示部４１６への電源の供給がオンにされることによって起動され、省エネモードから復帰した状態である。第４の省エネモードから通常モードへ移行することによって、操作部４００のバックライトが点灯し、画面が表示される。
【００４０】
図６に示されるように、第１の省エネモードから第４の省エネモードとなるにしたがって、電源の供給がオンにされる構成する要素の数が多くなる。画像処理装置１００を構成するハードウェアのうち、エンジン３００の消費電力が最も高く、エンジン３００以外のハードウェアの消費電力はエンジン３００よりも低いと想定される。したがって、本実施の形態に係る画像処理装置１００は、該画像処理装置１００に接近したユーザが、該画像処理装置１００を使用すると判断した場合に、エンジン３００への電力の供給をオンにすることによって起動する。これによって、ユーザが画像処理装置１００に接近しただけでは、エンジン３００への電力の供給がオンにされず起動されないため、消費電力を低減できる。本実施の形態に係る画像処理装置１００では、第１の省エネモード−第３の省エネモードではエンジン３００への電力の供給はオフであり、第３の省エネモードで、ユーザが画像処理装置１００を使用すると判断した場合にエンジン３００への電力の供給がオンにされ、第４の省エネモードに移行する。
【００４１】
なお、ネットワークＩ／Ｆ２０６は、第２の省エネモード−第４の省エネモードにおいて使用できる。これによって、第２の省エネモード−第４の省エネモードにおいて、画像処理装置１００とサーバ６００との間で通信が可能である。
【００４２】
図４に戻り説明を続ける。コントローラ２００の記憶・読出処理部２６０は、図２に示されているＣＰＵ２０２からの命令、プログラムＲＯＭ２０４に記憶されているコントローラ用プログラム、並びにＨＤＤ２０８によって実現される。記憶・読出処理部２６０は、記憶部２６２に各種のデータを記憶したり、記憶部２６２に記憶された各種のデータを読み出したりする処理を行う。
【００４３】
コントローラ２００の通信制御部２６６は、図１に示されているＣＰＵ２０２からの命令、操作部Ｉ／Ｆ２１４、プログラムＲＯＭ２０４に記憶されているコントローラ用プログラムによって実行される。通信制御部２６６は、操作部４００との間で通信を確立し、通信の確立後、操作部４００によって入力される各種のデータ（情報）にしたがって制御する。
【００４４】
＜操作部４００の機能構成＞
操作部４００は、送受信部４５２、第２のユーザ識別情報取得部４５４、第２の認証処理部４５６、表示制御部４５８、通信制御部４６４、および記憶・読出処理部４６０を有している。これら各部は、図２に示されている画像処理装置１００を構成する各要素のいずれかが、プログラムＲＯＭ４０４に記憶されている操作部用プログラムにしたがったＣＰＵ４０２からの命令によって動作することで実現される機能または手段である。また、操作部４００は、図２に示されている不揮発性メモリ４１２によって構築される記憶部４６２を有している。
【００４５】
＜操作部４００の各機能部＞
次に、操作部４００の各部を詳細に説明する。
【００４６】
操作部４００の送受信部４５２は、図１に示されているコントローラＩ／Ｆ４１４によって実現され、ＵＳＢ通信によってコントローラ２００と各種データ（情報）の送受信を行う。
【００４７】
操作部４００の第２のユーザ識別情報取得部４５４は、図２に示されているカードリーダ４１８、ＣＰＵ４０２からの命令、プログラムＲＯＭ４０４に記憶されている操作部用プログラムによって実現され、ＩＣカード５００のＩＣチップからユーザの識別情報を短距離無線通信によって読み取り、第２の認証処理部４５６に入力する。
【００４８】
操作部４００の第２の認証処理部４５６は、図２に示されているＣＰＵ４０２からの命令、プログラムＲＯＭ４０４に記憶されている操作部用プログラムによって実現される。第２の認証処理部４５６は、第１の認証処理部２５６によって通知されたユーザの識別情報に一致するユーザＩＤを記憶部４６２にキャッシュする。また、第２の認証処理部４５６は、第２のユーザ識別情報取得部４５４によって入力されたユーザの識別情報がキャッシュしたユーザの識別情報と一致するか否かを判断することによって、画像処理装置１００に接近しているユーザが画像処理装置１００を使用するかを判断する。
【００４９】
操作部４００の表示制御部４５８は、図２に示されているＣＰＵ４０２からの命令、プログラムＲＯＭ４０４に記憶されている操作部用プログラムによって実現され、表示部４１６へ表示する画像を制御する。
【００５０】
操作部４００の記憶・読出処理部４６０は、図２に示されているＣＰＵ４０２からの命令によって実行される。記憶・読出処理部４６０は、記憶部４６２に各種のデータを記憶したり、記憶部４６２に記憶された各種のデータを読み出したりする処理を行う。
【００５１】
操作部４００の通信制御部４６４は、図２に示されているＣＰＵ４０２からの命令、コントローラＩ／Ｆ４１４、プログラムＲＯＭ４０４に記憶されている操作部用プログラムによって実行される。通信制御部４６４は、コントローラ２００との間で通信を確立する。
【００５２】
また、上述した実施の形態の画像処理装置１００で実行されるプログラム（コントローラ用プログラム、操作部用プログラム）は、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ Ｖｅｒｓａｔｉｌｅ Ｄｉｓｋ）、ＵＳＢ（Ｕｎｉｖｅｒｓａｌ Ｓｅｒｉａｌ Ｂｕｓ）などのコンピュータで読み取り可能な記録媒体に記録して提供するように構成してもよい。また、上述した実施の形態の画像処理装置１００で実行されるプログラム（コントローラ用プログラム、操作部用プログラム）は、インターネットなどのネットワーク経由で提供または配布するように構成してもよい。また、各種プログラムを、ＲＯＭなどの不揮発性の記録媒体に予め組み込んで提供するように構成してもよい。
【００５３】
＜情報処理システムの動作（その１）＞
図７は、本実施の形態に係る情報処理システムの動作（その１）を示す。ここでは、第１の省エネモードに移行している画像処理装置１００に、ＩＣカード５００を携帯したユーザが接近する場合の処理を示す。
【００５４】
ステップＳ７０２では、コントローラ２００の第１のユーザ識別情報取得部２５４は、ＩＣカード５００のＲＦタグを検知し、該ＲＦタグに記録されたのユーザの識別情報を取得する。ステップＳ７０４では、コントローラ２００の第１のユーザ識別情報取得部２５４は、ユーザの識別情報を第１の認証処理部２５６に入力する。
【００５５】
ステップＳ７０６では、コントローラ２００の第１の認証処理部２５６は、ユーザの識別情報が入力されたのを契機として、電源制御部２５８に第２の省エネモードへ移行することを要求することを示す第２の省エネモード移行要求を入力する。ステップＳ７０８では、コントローラ２００の電源制御部２５８は、第２の省エネモード移行要求が入力されると、記憶部２６２への電源の供給をオンにする。これによって、ＨＤＤ２０８の電源がオンにされ、起動する。
【００５６】
ステップＳ７１０では、コントローラ２００の電源制御部２５８は、記憶部２６２への電源の供給をオンにした後、第１の認証処理部２５６に第２の省エネモードへ移行したことを通知することを示す第２の省エネモード移行通知を入力する。ステップＳ７１２では、コントローラ２００の第１の認証処理部２５６は、第２の省エネモード移行通知が入力されると、記憶部２６２に格納されたユーザ認証管理テーブルを検索することによって、ユーザの識別情報と一致する識別情報が記憶されているか否かを判断する。
【００５７】
ステップＳ７１４では、コントローラ２００の第１の認証処理部２５６は、ユーザ認証管理テーブルに、ユーザの識別情報と一致する識別情報が記憶されているか否かを検索した結果を示す検索結果を取得する。ユーザ認証管理テーブルに、ユーザの識別情報と一致する識別情報が記憶されていない場合には、画像処理装置１００の使用を許可されたユーザが接近していないと判断されるため、ステップＳ７０２の処理に戻る。ここでは、ユーザ認証管理テーブルに、ユーザの識別情報と一致する識別情報が記憶されている場合について説明を続ける。
【００５８】
ステップＳ７１６では、コントローラ２００の第１の認証処理部２５６は、ユーザ認証管理テーブルにユーザの識別情報と一致する識別情報が記憶されていることを示す検索結果を取得した場合に、ユーザの認証が成功したと判断し、電源制御部２５８に第３の省エネモードへ移行する要求を示す第３の省エネモード移行要求を入力する。ステップＳ７１８、およびＳ７２０では、コントローラ２００の電源制御部２５８は、第３の省エネモード移行要求が入力されると、操作部４００の第２のユーザ識別情報取得部４５４、および第２の認証処理部４５６への電源の供給をオンにする。これによって、カードリーダ４１８の電源がオンにされ、起動する。
【００５９】
ステップＳ７２２では、コントローラ２００の第１の認証処理部２５６は、サーバ６００にジョブ情報を要求することを示すジョブ情報要求を送信する。ジョブ情報要求には、ユーザの識別情報が付帯される。サーバ６００は、コントローラ２００によって送信されるジョブ情報処理要求を受信する。サーバ６００には、表２に示されているようなジョブ情報管理テーブルによって構成されているジョブ情報管理ＤＢが構築されている。
【００６０】
【表２】
2016225824.tif 000004
このジョブ情報管理テーブルには、画像処理装置１００によって使用が許可される全てのユーザによって携帯される全てのＩＣカード５００の各識別情報（ユーザＩＤ）とユーザＩＤに対して、許可されるジョブの種類とが関連付けられて管理される。例えば、表２に示されているジョブ情報管理テーブルにおいて、ユーザＩＤが「０１ａａ」であるユーザに許可されているジョブの種類は「印刷ジョブ」であることが示されている。サーバ６００は、該ジョブ情報要求に付帯されるユーザの識別情報に関連付けられたジョブの種類を示す情報を取得し、コントローラ２００に返信する。
【００６１】
ステップＳ７２４では、コントローラ２００の第１の認証処理部２５６は、サーバ６００によって送信されたユーザのジョブの種類を示すジョブ情報を保持する。その後、コントローラ２００は、ユーザによって要求されたジョブ処理に付帯される識別情報に基づいて、該ジョブ処理が、該識別情報と関連付けられるジョブの種類と一致する場合に、ジョブ処理を行う。
【００６２】
ステップＳ７２６では、コントローラ２００の第１の認証処理部２５６は、操作部４００の第２の認証処理部４５６に、使用が許可されたユーザが接近していることを示す接近ユーザ情報通知を送信する。この接近ユーザ情報通知には、ユーザの識別情報が付帯される。
【００６３】
ステップＳ７２８では、操作部４００の第２の認証処理部４５６は、ユーザの識別情報を記憶部４６２に保持する。
【００６４】
図８を参照して説明を続ける。ステップＳ８０２では、操作部４００の第２のユーザ識別情報取得部４５４は、ＩＣチップに記録されたユーザの識別情報を取得する。
【００６５】
ステップＳ８０４では、操作部４００の第２のユーザ識別情報取得部４５４は、ユーザの識別情報を第２の認証処理部４５６に入力する。ステップＳ８０６では、操作部４００の第２の認証処理部４５６は、第２のユーザ識別情報取得部４５４によって入力されたユーザの識別情報が、キャッシュしている識別情報に一致するか否かを判断することによって、ＩＣカード５００を携帯するユーザをログインさせるか否かを判断する。ここでは、ユーザの識別情報がキャッシュしている識別情報に一致することによってユーザの認証が成功したと判断され、ログインさせる場合について説明を続ける。第２のユーザ識別情報取得部４５４は、第２の識別情報取得部４５４、および第２の認証処理部４５６の電源がオンにされることによって起動を開始してからまたは第２の認証処理部４５６に接近ユーザ情報が入力されてから、所定の時間以内にユーザの認証が成功したと判断された場合にログインさせるようにしてもよい。
【００６６】
ステップＳ８０８では、操作部４００の第２の認証処理部４５６は、ログインしたことを通知することを示すログイン通知を送受信部４５２に入力する。ステップＳ８１０では、操作部４００の送受信部４５２は、第２の認証処理部４５６によって入力されたログイン通知をコントローラ２００に送信する。ステップＳ８１２では、コントローラ２００の送受信部２５２は、操作部４００によって送信されたログイン通知を電源制御部２５８に入力する。
【００６７】
ステップＳ８１４では、コントローラ２００の電源制御部２５８は、ログイン通知が入力されたことを契機として、エンジン３００への電源の供給をオンにすることによって起動する。ステップＳ８１６では、コントローラ２００の電源制御部２５８は、操作部４００の表示制御部４５８への電源の供給をオンにすることによって起動する。
【００６８】
＜情報処理システムの動作（その２）＞
図９は、本実施の形態に係る情報処理システムの動作（その３）を示す。ここでは、情報処理システムの動作（その１）のステップＳ７２０の処理によって第３の省エネモードに移行してから所定の時間が経過しても、ログインが行われない場合の動作について説明する。
【００６９】
ステップＳ９０２−Ｓ９２８は、図７のステップＳ７０２−Ｓ７２８を適用できる。
【００７０】
図１０を参照して説明を続ける。ステップＳ１００２では、コントローラ２００の電源制御部２５８は、第３の省エネモードに移行してから所定の時間が経過しても、ログイン通知が入力されないことによって、省エネモードに移行すると判断する。ステップＳ１００４、およびＳ１００６では、コントローラ２００の電源制御部２５８は、操作部４００の第２のユーザ識別情報取得部４５４、および第２の認証処理部４５６への電源の供給をオフにすることによって中止する。これによって、カードリーダ４１８の電源がオフにされる。ステップＳ１００８では、コントローラ２００の電源制御部２５８は、記憶部２６２への電源の供給をオフにする。これによって、ＨＤＤ２０８の電源がオフにされる。
【００７１】
上述した実施の形態において、識別情報に加え、パスワードをユーザ認証管理ＤＢに記録し、且つＩＣカード５００のＩＣチップにユーザの識別情報、およびパスワードを記録するようにしてもよい。画像処理装置１００は、ＩＣカード５００のＩＣチップに記録されたユーザの識別情報、およびパスワードを受信する。そして、画像処理装置１００は、ユーザ認証管理ＤＢに記録された識別情報、およびパスワードのいずれかと、受信したユーザの識別情報（ユーザＩＤ）、およびパスワードが一致する場合にユーザの認証が成功し、ＩＣカード５００を携帯するユーザが画像処理装置１００の使用を許可されていると判断してもよい。
【００７２】
本実施の形態に係る画像処理装置によれば、タグリーダによって取得されるユーザの識別情報に基づいて、画像処理装置に接近してきたユーザが使用を許可されたユーザであると判断した場合に、ユーザが画像処理装置を使用するか否かを判断する処理に必要な要素への電源の供給をオンにする。該要素が起動した後、カードリーダによって取得されるユーザの識別情報が予め記憶される識別情報と一致する場合に、エンジンへの電源の供給をオンにする。
【００７３】
タグリーダの通信が可能な距離は、カードリーダの通信が可能な距離よりも長いため、タグリーダによってユーザが接近してきたことを検知してから、該ユーザがＩＣカードをかざすまでの間に、ユーザが画像処理装置を使用するか否かを判断する処理に必要な一部のデバイスを起動できる。そして、画像処理装置に接近してきたユーザが画像処理装置を使用すると判断した場合に、エンジンを起動できる。ユーザが画像処理装置を使用すると判断した場合にエンジンを起動することによって消費電力を低減できる。例えば、印刷物を取るためにユーザが画像処理装置に接近した場合には、該ユーザが使用を許可されたユーザであると判断した場合でも、該ユーザが画像処理装置１００にＩＣカード５００をかざすことがないため、該ユーザが画像処理装置１００を使用すると判断されない。このため、エンジンへの電源の供給はオンにされないため、消費電力を低減できる。
【００７４】
上述した実施の形態では、近距離無線通信の一例として、ＲＦＩＤについて説明したが、Bluetooth（登録商標）、無線ＬＡＮなどを適用してもよい。また、近距離無線通信の一例としてＩＣチップについて説明したがFeliCaの通信方式や、ISO/IEC 14443、ISO/IEC 18092などを適用してもよい。
【００７５】
上述した実施例において、画像処理システムは情報処理システムの一例であり、コントローラは情報処理装置、および情報処理部の一例であり、エンジンは実行部の一例であり、ユーザ認証管理ＤＢはデータベースの一例である。また、ユーザの識別情報はユーザを識別する情報の一例であり、ユーザＩＤはユーザを認証する情報の一例であり、コントローラ用プログラム、および操作部用プログラムは情報処理プログラムの一例である。
【００７６】
本発明は特定の実施の形態を参照しながら説明されてきたが、実施の形態は単なる例示に過ぎず、当業者は様々な変形例、修正例、代替例、置換例等を理解するであろう。説明の便宜上、本発明の実施の形態に従った装置は機能的なブロック図を用いて説明されたが、そのような装置はハードウェアで、ソフトウエアでまたはそれらの組み合わせで実現されてもよい。本発明は上記実施の形態に限定されず、本発明の精神から逸脱することなく、様々な変形例、修正例、代替例、置換例等が包含される。
【符号の説明】
【００７７】
５０    通信ネットワーク
１００、１０１  画像処理装置
２００  コントローラ
２０２、４０２  ＣＰＵ
２０４、４０４  プログラムＲＯＭ
２０６  ネットワークＩ／Ｆ
２０８  ＨＤＤ
２１０、４１０  ＲＡＭ
２１２、４１２  不揮発性メモリ
２１４  操作部Ｉ／Ｆ
２１６  エンジンＩ／Ｆ
２５２  送受信部
２５４  第１のユーザ識別情報取得部
２５６  第１の認証処理部
２５８  電源制御部
２６０  記憶・読出処理部
２６２  記憶部
２６４  ユーザ認証管理ＤＢ
２６６  通信制御部
４００  操作部
４５２  送受信部
４５４  第２のユーザ識別情報取得部
４５６  第２の認証処理部
４５８  表示制御部
４６０  記憶・読出処理部
４６２  記憶部
４６４  通信制御部
５００  ＩＣカード
６００  サーバ
【先行技術文献】
【特許文献】
【００７８】
【特許文献１】特開２０１３−５５６１８号公報
【図１】
2016225824.tif 000005
【図２】
2016225824.tif 000006
【図３】
2016225824.tif 000007
【図４】
2016225824.tif 000008
【図５】
2016225824.tif 000009
【図６】
2016225824.tif 000010
【図７】
2016225824.tif 000011
【図８】
2016225824.tif 000012
【図９】
2016225824.tif 000013
【図１０】
2016225824.tif 000014